(57)【要約】【課題】より良好な映像が得られる表示装置を提供する。【解決手段】複数の表示画素を有する表示部と、光を透過および遮断する複数のサブ領域を有するバリア部とを備える。バリア部は、一対の基板と、それらに挟まれた液晶層および複数のスペーサとを含み、隣り合うスペーサの並び方向が、表示画素の並び方向と異なる。【選択図】図７
2012234142.tif 000002
【特許請求の範囲】
【請求項１】
複数の表示画素を有する表示部と、
光を透過および遮断する複数のサブ領域を有するバリア部と
を備え、
前記バリア部は、
一対の基板と、それらに挟まれた液晶層および複数のスペーサと
を含み、
隣り合う前記スペーサの並び方向が、前記表示画素の並び方向と異なる
表示装置。
【請求項２】
相互に最近接の位置にある２つの前記スペーサ同士の並び方向が、前記表示画素の並び方向と異なる方向である
請求項１記載の表示装置。
【請求項３】
前記複数のサブ領域は、
前記表示部における前記複数の表示画素の並び方向に対して傾斜した方向にそれぞれ延伸している
請求項１記載の表示装置。
【請求項４】
前記複数のサブ領域は、光を透過する第１のサブ領域と、光を遮断する第２のサブ領域とを含み、
前記スペーサは、前記第２のサブ領域に設けられている
請求項１記載の表示装置。
【請求項５】
前記第１のサブ領域と前記第２のサブ領域とが、それらの延伸方向と異なる方向へ交互に配置され、
隣り合う前記第２のサブ領域に設けられた前記スペーサ同士の並び方向が、前記表示画素の並び方向と異なる
請求項４記載の表示装置。
【請求項６】
前記バリア部は、
前記液晶層に電圧を供給するための一対の電極を有し、
前記一対の電極のうちの少なくとも一方は、前記サブ領域ごとに複数のサブ電極に分割されており、
前記スペーサは、前記サブ電極と重なる位置に設けられている
請求項１記載の表示装置。
【請求項７】
前記複数のサブ領域は、光を透過する第１のサブ領域と、光を遮断する第２のサブ領域とを含み、
前記スペーサは、前記第２のサブ領域に設けられている
請求項６記載の表示装置。
【請求項８】
前記複数のサブ電極は、それぞれ、互いに交差するように延在する第１および第２の幹部分を有し、
前記スペーサは、前記第１の幹部分と前記第２の幹部分との交差部に位置する
請求項６記載の表示装置。
【請求項９】
３次元映像表示モードおよび２次元映像表示モードを含む複数の表示モードを有し、
前記複数のサブ領域は、複数の第１のサブ領域と複数の第２のサブ領域とを有し、
前記３次元映像表示モードでは、前記表示部が複数の異なる視点映像を表示し、前記複数の第１のサブ領域が透過状態になるとともに、前記複数の第２のサブ領域が遮断状態になることにより、３次元映像を表示し、
前記２次元映像表示モードでは、前記表示部が１つの視点映像を表示し、前記複数の第１のサブ領域および前記複数の第２のサブ領域が透過状態になることにより、２次元映像を表示する
請求項１記載の表示装置。
【請求項１０】
前記スペーサは、前記第２のサブ領域に設けられている
請求項９記載の表示装置。
【請求項１１】
前記表示部は、前記表示画素に電圧を供給するための複数の信号線および走査線を有し、
前記表示画素の並び方向は、前記信号線の延在方向および走査線の延在方向に沿った方向である
請求項１記載の表示装置。
【請求項１２】
前記複数のスペーサは、水平方向および垂直方向の少なくとも一方において周期的に配列された複数の配列パターンを形成している
請求項１記載の表示装置。
【請求項１３】
前記複数のスペーサは、水平方向および垂直方向の少なくとも一方において配列された複数の単位領域ごとに同一形状の配置パターンを構成している
請求項１２記載の表示装置。
【請求項１４】
各々の前記単位領域において、前記複数のスペーサのうちの少なくとも１つは、各々対応する前記表示画素との相対位置が他と異なるように配置されている
請求項１３記載の表示装置。
【請求項１５】
各々の前記単位領域において、前記複数のスペーサは、前記単位領域の中心位置を回転中心とした点対称な配置パターンを構成している
請求項１３記載の表示装置。
【請求項１６】
前記バリア部には、前記複数のスペーサからなる同一形状の配置パターンが周期的に形成されている
請求項１記載の表示装置。
【請求項１７】
前記表示部は、空間的に分割されたｐ個（ｐは２以上の整数）の視点映像を表示するものであり、
水平方向および垂直方向の少なくとも一方において、前記スペーサの配置ピッチがｐの整数倍と異なる値である
請求項１記載の表示装置。
【請求項１８】
前記表示部は、空間的に分割されたｐ個（ｐは２以上の整数）の視点映像を、時間的に分割されたｑ個（ｑは１以上の整数）の表示パターンで順次表示するものであり、
水平方向における前記スペーサの配置ピッチは、前記表示画素の水平方向の寸法をＷとしたとき、（ｐ×Ｗ／ｑ）の整数倍と等しい値であり、
垂直方向における前記スペーサの配置ピッチは、前記表示画素の垂直水平方向の寸法をＬとしたとき、（ｐ×Ｌ／ｑ）の整数倍と異なる値である
請求項１記載の表示装置。
【請求項１９】
複数の表示画素を有する表示部と、
光を透過および遮断する複数のサブ領域を有するバリア部と
を備え、
前記バリア部は、
一対の基板と、それらに挟まれた液晶層および複数のスペーサと
を含み、
前記複数のスペーサのうちの少なくとも１つは、各々対応する前記表示画素との相対位置が他と異なるように配置されている
表示装置。
【発明の詳細な説明】
【技術分野】
【０００１】
本開示は、立体視表示が可能なパララックスバリア方式の表示装置に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。パララックスバリア方式の表示装置としては、例えば特許文献１に記載されたものがある。
【先行技術文献】
【特許文献】
【０００４】
【特許文献１】特開平３−１１９８８９号公報
【発明の概要】
【発明が解決しようとする課題】
【０００５】
ところで、上記のレンチキュラーレンズ方式やパララックスバリア方式の表示装置においては、その構造に起因し、映像にモアレが発生し易い。これまで、モアレの低減を目的とした多くの改良が提案されているが、さらなる画質の向上が求められている。
【０００６】
本開示はかかる問題点に鑑みてなされたもので、その目的は、より良好な映像が得られる表示装置を提供することにある。
【課題を解決するための手段】
【０００７】
本開示の第１の表示装置は、複数の表示画素を有する表示部と、光を透過および遮断する複数のサブ領域を有するバリア部とを備える。バリア部は、一対の基板と、それらに挟まれた液晶層および複数のスペーサとを含み、隣り合うスペーサの並び方向が表示画素の並び方向と異なっている。また、本開示の第２の表示装置は、同様に、複数の表示画素を有する表示部と、光を透過および遮断する複数のサブ領域を有するバリア部とを備える。バリア部は、一対の基板と、それらに挟まれた液晶層および複数のスペーサとを含む。複数のスペーサのうちの少なくとも１つは、各々対応する表示画素との（面内方向における）相対位置が他と異なるように配置されている。
【０００８】
本開示の第１の表示装置では、光の透過および遮断を行うバリア部において、隣り合うスペーサが、表示部における表示画素の並び方向と異なる方向に並んでいる。また、本開示の第２の表示装置では、複数のスペーサのうちの少なくとも１つが、各々対応する表示画素との相対位置が他と異なるように配置されている。これにより、観察者に到達する画像光における見かけの明るさの周期的な変動が緩和される。
【発明の効果】
【０００９】
本開示の表示装置によれば、表示部における表示画素の並び方向と、バリア部におけるスペーサの並び方向とが一致しないようにしたので、もしくは、対応するスペーサと表示画素との相対位置が少なくとも一部において他と異なるようにしたので、見かけの明るさの周期的変動を緩和することができる。これにより、効果的にモアレの発生を抑制し、良好な映像を得ることができる。
【図面の簡単な説明】
【００１０】
【図１】本開示の第１の実施の形態に係る表示装置の一構成例を表すブロック図である。
【図２】図１に示した表示装置の一構成例を表す説明図である。
【図３】図１に示した表示部および表示駆動部の一構成例を表す説明図である。
【図４】図３に示した画素回路の一構成例および画素の断面構成例を表す説明図である。
【図５】図１に示した表示部における画素配列の一構成例を表す平面図である。
【図６】図１に示した液晶バリア部における開閉部の一構成例を表す説明図である。
【図７】図１に示した液晶バリア部の断面構成例および平面構成例を表す模式図である。
【図８】図１に示した液晶バリアにおける透過状態および遮断状態の液晶層の配向の一例を表す説明図である。
【図９】図１に示した液晶バリア部に係る透明電極の一構成例を表す平面図である。
【図１０】図１に示した液晶バリア部のグループ構成例を表す説明図である。
【図１１】図１に示した表示部および液晶バリア部の一動作例を表す模式図である。
【図１２】図１に示した表示部および液晶バリア部の一動作例を表す他の模式図である。
【図１３】本開示の第２の実施の形態に係る表示装置における画素とスペーサとの配置位置の関係を表す概念図である。
【図１４】参考例としての表示装置における画素とスペーサとの位置関係を表す概念図である。
【図１５】図１３に示した画素とスペーサとの配置位置に係る第１の変形例を表す概念図である。
【図１６】図１３に示した画素とスペーサとの配置位置に係る第２の変形例を表す概念図である。
【図１７】図１３に示した画素とスペーサとの配置位置に係る第３の変形例を表す概念図である。
【図１８】第４の変形例としての液晶バリア部における開閉部の一構成例を表す説明図である。
【図１９】第５の変形例としての表示部の画素配列および液晶バリア部における開閉部の一構成例をそれぞれ表す説明図である。
【図２０】第６の変形例としての表示装置の一構成例を表す説明図である。
【図２１】図２０に示した表示装置の一動作例を表す模式図である。
【発明を実施するための形態】
【００１１】
以下、本開示の一実施の形態について、図面を参照して詳細に説明する。
【００１２】
＜第１の実施の形態＞
［全体構成］
図１は、本開示における第１の実施の形態としての表示装置１の一構成例を表すものである。表示装置１は、立体視表示（３次元表示）および通常表示（２次元表示）の双方を実現可能なものである。表示装置１は、制御部４０と、表示駆動部５０と、表示部２０と、バックライト駆動部２９と、バックライト３０と、バリア駆動部９と、液晶バリア部１０とを備えている。
【００１３】
制御部４０は、外部より供給される映像信号Ｖdispに基づいて、表示駆動部５０、バックライト駆動部２９、およびバリア駆動部９に対してそれぞれ制御信号を供給し、これらがお互いに同期して動作するように制御する回路である。具体的には、制御部４０は、表示駆動部５０に対して映像信号Ｖdispに基づく映像信号Ｓを供給し、バックライト駆動部２９に対してバックライト制御信号ＣＢＬを供給し、バリア駆動部９に対してバリア制御信号ＣＢＲを供給するようになっている。ここで、映像信号Ｓは、立体表示装置１が立体視表示を行う場合に、後述するように、それぞれが複数（この例では６つ）の視点映像を含む映像信号ＳＡ，ＳＢから構成されるものである。
【００１４】
表示駆動部５０は、制御部４０から供給される映像信号Ｓに基づいて表示部２０を駆動するものである。表示部２０は、液晶素子を駆動して、バックライト３０から射出した光を変調することにより表示を行うものである。
【００１５】
バックライト駆動部２９は、制御部４０から供給されるバックライト制御信号に基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１６】
バリア駆動部９は、制御部４０から供給されるバリア制御命令に基づいて液晶バリア部１０を駆動するものである。液晶バリア部１０は、それぞれが光を透過または遮断する複数の開閉部１１，１２（後述）を有しており、ここでは表示部２０から出射された映像光を、所定の方向に向けて分割する機能を有している。
【００１７】
図２は、表示装置１の要部の一構成例を表すものであり、（Ａ）は表示装置１の斜視構成を示し、（Ｂ）は表示装置１の側面構成を示す。図２に示したように、表示装置１では、バックライト３０側、表示部２０および液晶バリア部１０の順に配置されている。すなわち、バックライト３０から射出した光は、表示部２０および液晶バリア部１０を順に透過したのち観察者に届くようになっている。なお、表示部２０と液晶バリア部１０とは、接着されていてもよいし、そうでなくともよい。
【００１８】
（表示駆動部５０および表示部２０）
図３は、表示駆動部５０および表示部２０のブロック図の一例を表すものである。画素Ｐｉｘは、表示部２０において、マトリクス状に配置されている。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、液晶表示デバイス４５内の画素Ｐｉｘ（後述）を行ごとに順次選択して、線順次走査するものである。データドライバ５３は、表示部２０の各画素Ｐｉｘへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐｉｘへ供給するようになっている。
【００１９】
表示部２０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐｉｘを構成している。以下、この表示部２０（画素Ｐｉｘ）の構成について詳述する。
【００２０】
図４（Ａ）は、画素Ｐｉｘの回路図の一例を表すものである。画素Ｐｉｘは、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）によりなり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２１】
図４（Ｂ）は、画素Ｐｉｘを含む表示部２０の断面構成を表すものである。このように表示部２０は、断面でみると、駆動基板２０１と対向基板２０５との間に、液晶層２０３を封止したものである。駆動基板２０１は、上記ＴＦＴ素子Ｔｒを含む画素駆動回路が形成されたものであり、この駆動基板２０１上には、画素Ｐｉｘ毎に画素電極２０２が配設されている。対向基板２０５には、図示しないカラーフィルタやブラックマトリクスが形成されており、更に液晶層２０３側の面には、対向電極２０４が各画素Ｐｉｘに共通の電極として配設されている。表示部２０の光入射側（ここでは、バックライト３０側）および光射出側（ここでは、液晶バリア部１０側）には、偏光板２０６ａ，２０６ｂが、互いにクロスニコルまたはパラレルニコルとなるように貼り合わせられている。
【００２２】
図５は、表示部２０の画素配列の一構成例を表す。図５に示したように、画素Ｐｉｘは、駆動基板２０１および対向基板２０５に平行な面内（ＸＹ平面内）においてマトリックス状に配列されている。具体的には、表示部２０は、カラー表示に必要とされるＲ（赤色），Ｇ（緑色），Ｂ（青色）の３色の画素Ｐｉｘ（Ｒ，Ｇ，Ｂで表示）が２次元的に複数配列された画素構造を有している。図５に示したように、画面水平方向（Ｘ軸方向）の同一列上には各色の画素Ｐｉｘが周期的に現れ、かつ、画面垂直方向（Ｙ軸方向）の同一列には同一色の画素Ｐｉｘが並ぶような画素配列とされている。ゲートドライバ５２からの複数のゲート線Ｇは、例えばＸ軸方向の画素Ｐｉｘの並びに沿って各々延在しており、データドライバ５３からの複数のデータ線Ｄは、例えばＹ軸方向の画素Ｐｉｘの並びに沿って各々延在している。このように、表示部２０では、各画素Ｐｉｘに電圧を供給するための信号線および走査線としてのデータ線Ｄおよびゲート線Ｇがそれぞれ複数設けられ、それらデータ線Ｄおよびゲート線Ｇに沿ってマトリックス状に画素Ｐｉｘが配置されている。
【００２３】
（バックライト３０）
バックライト３０は、例えば導光板の側面に例えばＬＥＤ（Light Emitting Diode）を配設してなるものである。バックライト３０は、あるいは、複数本のＣＣＦＬ（Cold Cathode Fluorescent Lamp）等を配列させたものであってもよい。
【００２４】
（液晶バリア部１０）
図６は、液晶バリア部１０における開閉部の配置構成例を表すものである。図７（Ａ）は、液晶バリア部１０の断面の概略構成を表し、図７（Ｂ）は、透明電極層１５とスペーサＰＳとの配置関係を表すＸＹ平面模式図である。図７（Ａ）は、図７（Ｂ）におけるＩ−Ｉ線に沿った矢視方向の断面図である。
【００２５】
液晶バリア部１０は、いわゆるパララックスバリアであり、図５に示したように、光を透過または遮断する複数の開閉部１１（第２のサブ領域），開閉部１２（第１のサブ領域）を有している。これらの開閉部１１，１２は、表示装置１が通常表示（２次元表示）および立体視表示（３次元表示）のどちらを行うかにより、異なる動作を行う。具体的には、開閉部１１は、後述するように、通常表示の際には開放状態（透過状態）になり、立体視表示を行う際には閉状態（遮断状態）となるものである。開閉部１２は、後述するように、通常表示の際には開放状態（透過状態）、立体視表示の際には、時分割的に開閉動作を行うものである。これらの開閉部１１，１２はそれぞれ複数、交互に設けられており、例えば、複数の開閉部１１，１２のうちの選択的な開閉部からなるグループ毎に駆動し、また、そのようなグループ毎の駆動を時分割的に行うことができるようになっている。
【００２６】
これらの開閉部１１および開閉部１２は、境界部Ｓを隔てて、ＸＹ平面における一方向（ここでは、例えばＹ軸方向に対して所定の角度θ１をなす方向）に延在して設けられている。開閉部１１，１２の幅Ｅ１，Ｅ２は、互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。境界部Ｓは、例えば、後述の透明電極１１０，１２０間の溝（スリット）に対応する部分である。このような開閉部１１，１２は、液晶層（後述の液晶層１９）を含んで構成されており、この液晶層１９への駆動電圧によって、開閉が切り替わるようになっている。
【００２７】
具体的には、液晶バリア部１０は、図７（Ａ）に示したように、例えばガラス等からなる透明基板１３と透明基板１６との間に液晶層１９を備えたものである。透明基板１３，１６のうち、透明基板１３が光入射側、透明基板１６が光射出側に配置されるようになっている。透明基板１３の液晶層１９側の面、および透明基板１６の液晶層１９側の面には、例えばＩＴＯなどからなる透明電極層１５，１７がそれぞれ形成されている。透明基板１３の光入射側および透明基板１６の光射出側には、偏光板１４，１８が貼り合わせられている。以下、各部の構成について詳述する。
【００２８】
液晶層１９は、例えばＴＮモードの液晶（ＴＮ液晶）からなる。本実施の形態では、この液晶層１９が、ノーマリーホワイトモードで駆動される場合を例に挙げて説明する。液晶層１９は、例えば駆動電圧を印加していない状態では、図８（Ａ）に示したように光を透過するので白表示となる。一方、駆動電圧を印加した状態では、図８（Ｂ）に示したように光を遮断するので黒表示となる。詳細には、駆動電圧を印加していない白表示時には、液晶分子Ｍは、そのダイレクタが光入射側と光射出側との間で互いに直交しており、液晶層１９の厚み方向に沿って徐々に回転しながら向きを変えるように配列されている。一方、駆動電圧を印加した黒表示時においては、液晶分子Ｍは、そのダイレクタが液晶層１９の厚み方向に沿うように配列することとなる。
【００２９】
透明電極層１５は、個々に電圧を供給可能な複数の透明電極１１０，１２０に分割されている。一方、透明電極層１７は、各透明電極１１０，１２０に対して共通に設けられた共通電極として設けられている。この例では、透明電極層１７には０Ｖが印加されている。透明電極層１５の透明電極１１０と、透明電極層１７におけるその透明電極１１０に対応する部分とは、サブ領域としての開閉部１１を構成している。同様に、透明電極層１５の透明電極１２０と、透明電極層１５７におけるその透明電極１２０に対応する部分とは、サブ領域としての開閉部１２を構成している。このような構成により、液晶バリア部１０では、透明電極１１０，１２０に電圧を選択的に印加し、液晶層１９がその電圧に応じた液晶配向になることにより、開閉部１１，１２毎の開閉動作を行うことができるようになっている。これらの透明電極層１５，１７の液晶層１９側の面には、図示しない配向膜が形成されている。
【００３０】
偏光板１４，１８は、液晶層１９への入射光および射出光の各偏光方向を制御するものである。偏光板１４の透過軸は例えばＸ軸方向であり、偏光板１８の透過軸はＹ軸方向である。すなわち、偏光板１４，１８の各透過軸は、互いに直交するように配置される。
【００３１】
（スペーサＰＳの配置）
このような液晶バリア部１０では、透明基板１３と透明基板１６との間に、液晶層１９の厚さを制御する微小なスペーサＰＳが挿設されている。スペーサＰＳは、例えばフォトレジスト等の光透過性を有する樹脂よりなり、例えば円柱等の柱形状に成型されている。このスペーサＰＳは、図７（Ａ），７（Ｂ）に示したように、液晶バリア部１０のＸＹ平面における複数の選択的な領域、具体的には、境界部Ｓを除いた領域（開閉部１１，１２の非境界部分）に設けられている。本実施の形態では、各スペーサＰＳが、厚さ方向（光の透過する方向）において透明電極１２０と重なるように（図７（Ａ），７（Ｂ）では、透明電極１２０上の中央部に）、配設されている。換言すると、各スペーサＰＳは、透明電極１１０と透明電極１２０との間の領域（境界部Ｓ）を跨がないように配設されている。また、各スペーサＰＳは、表示部２０における画素Ｐｉｘの並び方向と異なる方向に配列されている。すなわち、画素ＰｉｘがＸ軸方向およびＹ軸方向に沿って配列されているのに対し、隣り合うスペーサＰＳ同士がＸ軸方向およびＹ軸方向の双方に対して交差する方向に並んだ状態となっている。具体的には、例えばスペーサＰＳは、Ｘ軸方向に対して角度θ１（例えば１８°）をなすように傾斜して延在する透明電極１２０に沿って配列されている。また、透明電極１１０を挟んで隣り合う透明電極１２０に設けられたスペーサＰＳ同士は、Ｘ軸方向に対して角度θ２（例えば２６°）傾斜した仮想線Ｌ７に沿って配列されている。より詳細には、複数のスペーサＰＳは、以下のような配置関係となっている。例えば任意のスペーサＰＳ１を基準とすると、その周囲にはスペーサＰＳ１と隣り合うスペーサＰＳ２〜ＰＳ９が存在している。ここで、スペーサＰＳ１およびスペーサＰＳ２との並び方向、すなわち、スペーサＰＳ１とスペーサＰＳ２とを結ぶ線は、Ｘ軸方向およびＹ軸方向の双方と異なっている。スペーサＰＳ１とスペーサＰＳ３〜ＰＳ９とのそれぞれの関係についても同様である。なお、画面上における任意のスペーサＰＳと、それと隣り合う全てのスペーサＰＳとの関係が上記のような関係であることが最も望ましい。但し、少なくとも、相互に最近接の位置にある２つのスペーサＰＳ同士（例えばスペーサＰＳ１とスペーサＰＳ２（もしくはＰＳ３）との並び方向が、画素Ｐｉｘの並び方向と異なっていればよい。
【００３２】
なお、この例では、液晶バリア部１０はノーマリーホワイト動作を行うものとしたが、これに限定されるものではなく、これに代えて、例えばノーマリーブラック動作を行うものであってもよい。これらのノーマリーブラック動作とノーマリーホワイト動作の選択は、例えば、偏光板と液晶配向により設定することができる。
【００３３】
また、本実施の形態では、液晶層１９を、ＴＮモードの液晶（ＴＮ液晶）の代わりに垂直配向（ＶＡ）モードの液晶（ＶＡ液晶）によって構成してもよい。ＶＡ液晶を用いる場合には、以下のような電極パターンを採用し、スペーサＰＳを所定位置に配置すればよい。図９は、透明電極層１５における透明電極１１０，１２０の一構成例を表すものである。透明電極１１０，１２０は、それぞれ、開閉部１１，１２の延伸方向と同じ方向（Ｙ軸方向に対して角度θ１をなす方向）に延伸する幹部分６１を有している。透明電極１１０，１２０には、それぞれ、幹部分６１の延伸方向に沿ってサブ電極領域７０が並設されている。各サブ電極領域７０は、幹部分６２と、枝部分６３とを有している。幹部分６２は、幹部分６１と交差する方向に延伸するように形成されており、この例では、水平方向Ｘの方向に延伸している。各サブ電極領域７０には、幹部分６１および幹部分６２により区切られた４つの枝領域（ドメイン）７１〜７４が設けられている。また、スペーサＰＳは、幹部分６１と幹部分６２との各交差点に設けられている。
【００３４】
枝部分６３は、各枝領域７１〜７４において、幹部分６１，６２から延びるように形成されている。枝部分６３のライン幅は、各枝領域７１〜７４において互いに等しくなっており、同様にスリット幅も、これらの枝領域７１〜７４において互いに等しくなっている。枝部分６３は、枝領域７１〜７４のそれぞれにおいて同じ方向に延伸している。枝領域７１の枝部分６３の延伸方向と、枝領域７３の枝部分６３の延伸方向とは、Ｙ軸方向を軸として対称になっており、同様に、枝領域７２の枝部分６３の延伸方向と、枝領域７４の枝部分６３の延伸方向とは、Ｙ軸方向を軸として対称になっている。言い換えれば、枝領域７１の枝部分６３の延伸方向と枝領域７３の枝部分６３の延伸方向とは、幹部分６１を軸としては非対称になっており、枝領域７２の枝部分６３の延伸方向と枝領域７４の枝部分６３の延伸方向とは、幹部分６１を軸としては非対称になっている。また、枝領域７１の枝部分６３の延伸方向と、枝領域７２の枝部分６３の延伸方向とは、幹部分６２（Ｘ軸方向）を軸として対称になっており、同様に、枝領域７３の枝部分６３の延伸方向と、枝領域７４の枝部分６３の延伸方向とは、幹部分６２（Ｘ軸方向）を軸としては対称になっている。この例では、具体的には、枝領域７１，７４の枝部分６３は、Ｘ軸方向から反時計まわりに所定の角度φだけ回転させた方向に延伸しており、枝領域７２，７３の枝部分６３は、Ｘ軸方向から時計まわりに所定の角度φだけ回転させた方向に延伸している。角度φは、例えば４５度が望ましい。
【００３５】
この構成により、ＶＡ液晶を用いた場合には、透明電極層１５（透明電極１１０，１２０）および透明電極層１７に電圧を印加してその電位差が大きくなると、液晶層１９における光の透過率が増大し、開閉部１１，１２は透過状態（開状態）になる。一方、その電位差が小さくなると、液晶層１９における光の透過率が減少し、開閉部１１，１２は遮断状態（閉状態）となる。
【００３６】
液晶バリア部１０では、複数の開閉部１２はグループを構成し、同じグループに属する複数の開閉部１２は、立体視表示を行う際、同じタイミングで開動作および閉動作を行うようになっている。以下に、開閉部１２のグループについて説明する。
【００３７】
図１０は、開閉部１２のグループ構成例を表すものである。開閉部１２は、この例では２つのグループを構成している。具体的には、１つおきに配置された複数の開閉部１２が、グループＡおよびグループＢをそれぞれ構成している。なお、以下では、グループＡに属する開閉部１２の総称として開閉部１２Ａを適宜用い、同様に、グループＢに属する開閉部１２の総称として開閉部１２Ｂを適宜用いるものとする。
【００３８】
バリア駆動部９は、立体視表示を行う際、同じグループに属する複数の開閉部１２が同じタイミングで開閉動作を行うように駆動する。具体的には、バリア駆動部９は、後述するように、グループＡに属する複数の開閉部１２Ａと、グループＢに属する複数の開閉部１２Ｂとを、時分割的に交互に開閉動作するように駆動する。
【００３９】
図１１は、立体視表示および通常表示（２次元表示）を行う場合の液晶バリア部１０の状態を、断面構造を用いて模式的に表すものである。図１１（Ａ）は立体視表示を行う一状態を示し、図１１（Ｂ）は立体視表示を行う他の状態を示し、図１１（Ｃ）は通常表示を行う状態を示す。液晶バリア部１０においては、開閉部１１および開閉部１２（開閉部１２Ａ，１２Ｂ）が交互に配置されている。図１０では、開閉部１２Ａが、表示部２０の６つの画素Ｐｉｘに１つの割合で設けられる例を示している。同様に、開閉部１２Ｂは、表示部２０の６つの画素Ｐｉｘに１つの割合で設けられている。
【００４０】
立体視表示を行う場合には、表示駆動部５０に映像信号ＳＡ，ＳＢが交互に供給され、表示部２０はそれらに基づいて時分割的に映像表示を行う。そして、液晶バリア部１０では、時分割的な映像表示と同期して開閉部１２（開閉部１２Ａ，１２Ｂ）が時分割的に開閉動作を行い、開閉部１１が閉状態（遮断状態）を維持する。具体的には、映像信号ＳＡが供給された場合には、図１１（Ａ）に示したように、開閉部１２Ａが開状態になるとともに、開閉部１２Ｂが閉状態になる。表示部２０では、後述するように、この開閉部１２Ａに対応した位置に配置された互いに隣接する６つの画素Ｐｉｘが、映像信号ＳＡに含まれる６つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図１１（Ｂ）に示したように、開閉部１２Ｂが開状態になるとともに、開閉部１２Ａが閉状態になる。表示部２０では、後述するように、この開閉部１２Ｂに対応した位置に配置された互いに隣接する６つの画素Ｐｉｘが、映像信号ＳＢに含まれる６つの視点映像に対応する表示を行う。これにより、観察者は、後述するように、例えば左眼と右眼とで異なる視点映像を見ることにより、表示された映像を立体的な映像として感じるようになっている。表示装置１では、このように開閉部１２Ａと開閉部１２Ｂとを交互に開放して映像を表示することにより、表示装置の解像度を高めることができるようになっている。
【００４１】
通常表示（２次元表示）を行う場合には、液晶バリア部１０では、図１１（Ｃ）に示したように、開閉部１１および開閉部１２（開閉部１２Ａ，１２Ｂ）はともに開状態（透過状態）を維持するようになっている。これにより、観察者は、映像信号Ｓに基づいて表示部２０に表示された通常の２次元映像をそのまま視認することができる。
【００４２】
［動作および作用］
続いて、本実施の形態の表示装置１の動作および作用について説明する。
【００４３】
（全体動作概要）
まず、図１を参照して、表示装置１の全体動作概要を説明する。制御部４０は、外部より供給される映像信号Ｖdispに基づいて、表示駆動部５０、バックライト駆動部２９、およびバリア駆動部９に対してそれぞれ制御信号を供給し、これらがお互いに同期して動作するように制御する。バックライト駆動部２９は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部９は、制御部４０から供給されるバリア制御信号ＣＢＲに基づいて液晶バリア部１０を駆動する。液晶バリア部１０の開閉部１１，１２（１２Ａ，１２Ｂ）は、バリア制御信号ＣＢＲに基づいて開閉動作を行い、バックライト３０から射出し表示部２０を透過した光を透過または遮断する。
【００４４】
（立体視表示の詳細動作）
次に、いくつかの図を参照して、立体視表示を行う場合の詳細動作を説明する。
【００４５】
図１２は、表示部２０および液晶バリア部１０の動作例を表すものであり、（Ａ）は、映像信号ＳＡが供給された場合を示し、（Ｂ）は映像信号ＳＢが供給された場合を示す。
【００４６】
映像信号ＳＡが供給された場合には、図１２（Ａ）に示したように、表示部２０の画素Ｐｉｘのそれぞれは、映像信号ＳＡに含まれる６つの視点映像のそれぞれに対応する画素情報Ｐ１〜Ｐ６を表示する。このとき、画素情報Ｐ１〜Ｐ６は、開閉部１２Ａ付近に配置された画素Ｐｉｘにそれぞれ表示される。映像信号ＳＡが供給された場合には、液晶バリア部１０では、開放部１２Ａが開状態（透過状態）になるとともに、開放部１２Ｂが閉状態になるように制御される。表示部２０の各画素Ｐｉｘから出た光は、開閉部１２Ａによりそれぞれ角度が制限されて出力される。観察者は、例えば左眼で画素情報Ｐ３を、右眼で画素情報Ｐ４をそれぞれ見ることにより、立体的な映像を認識することができる。
【００４７】
映像信号ＳＢが供給された場合には、図１２（Ｂ）に示したように、表示部２０の画素Ｐｉｘのそれぞれは、映像信号ＳＢに含まれる６つの視点映像のそれぞれに対応する画素情報Ｐ１〜Ｐ６を表示する。このとき、画素情報Ｐ１〜Ｐ６は、開閉部１２Ｂ付近に配置された画素Ｐｉｘにそれぞれ表示される。映像信号ＳＢが供給された場合には、液晶バリア部１０では、開放部１２Ｂが開状態（透過状態）になるとともに、開放部１２Ａが閉状態になるように制御される。表示部２０の各画素Ｐｉｘから出た光は、開閉部１２Ｂによりそれぞれ角度が制限されて出力される。観察者は、例えば左眼で画素情報Ｐ３を、右眼で画素情報Ｐ４をそれぞれ見ることにより、立体的な映像を認識することができる。
【００４８】
このように、観察者は、左眼と右眼とで、画素情報Ｐ１〜Ｐ６のうちの異なる画素情報を見ることとなり、観察者は立体的な映像として感じることができる。また、開閉部１２Ａと開閉部１２Ｂを時分割的に交互に開放して映像を表示することにより、観察者は、互いにずれた位置に表示される映像を平均化して見ることとなる。よって、表示装置１は、開閉部１２Ａのみをもつ場合に比べ、２倍の解像度を実現することが可能となる。言い換えれば、表示装置１の解像度は、２次元表示の場合に比べ１／３（＝１／６×２）で済むこととなる。
【００４９】
液晶バリア部１０には、上記したように、液晶層１９の厚さを制御するための複数のスペーサＰＳが透明基板１３と透明基板１６との間に設けられている。このスペーサＰＳは、光透過性を有する樹脂によって形成した場合であっても、液晶バリア部１０へ入射する光の一部を反射、散乱もしくは吸収する蓋然性が高い。個々のスペーサＰＳの寸法は微小であり、その影響度は大きくないものの、立体視表示を行う際には２次元表示の場合に比べて画質向上の妨げとなりやすい。立体視表示を行う場合は、２次元表示の場合に比べ、映像を形成する見かけの画素数が少なく、画面全体に表示される映像の明るさが低いからである。そのため、本実施の形態では、各スペーサＰＳを、各透明電極１２０の上に設けるようにしている。透明電極１２０は、立体視表示を行う際に閉状態（遮断状態）となる開閉部１１を構成するものである。すなわち、透明電極１２０が占める領域は立体視表示を行う際には光が透過しない。このため、透明電極１２０の上に設けられたスペーサＰＳが観察者に視認されることがない。この結果、立体視表示を行う際の、スペーサＰＳに起因する画質劣化を確実に防止することができる。
【００５０】
一方、２次元表示を行う際には開閉部１１が開状態（透過状態）となるので、スペーサＰＳも視認されることとなる。しかしながら、立体視表示と比較して見かけの画素数が多く、画面全体の明るさも十分に得られることから、画質への影響は極めて軽微である。また、本実施の形態では、各スペーサＰＳを表示部２０における画素Ｐｉｘの並び方向と異なる方向に配列するようにしている。このため、画素Ｐｉｘの並び方向と一致する方向に配列する場合と比較して、モアレの発生を抑制することができる。これは以下のような理由によると考えられる。表示部２０では、画素Ｐｉｘの並び方向（Ｘ軸方向およびＹ軸方向）には隣り合う画素Ｐｉｘ同士を隔てる境界部分が延在している。すなわち、画素Ｐｉｘの並び方向には、光を射出しない領域が延在している。また、画面上におけるスペーサＰＳが並ぶ方向には、スペーサＰＳによる光の反射、散乱もしくは吸収の作用により、周囲よりも明るさが僅かに弱い（低輝度の）領域が連なることとなる。ここで、画素Ｐｉｘの並び方向と一致する方向にスペーサＰＳが並んでしまうと、表示部２０からの射出光における明暗の分布と、液晶バリア部１０を透過する透過光における明暗の分布とが干渉しやすい状態となる。これに対し、本実施の形態では、表示部２０からの射出光の明暗の分布の方向と、液晶バリア部１０での透過光における明暗の分布の方向とが異なるので、互いに干渉しにくい状態となる。
【００５１】
［効果］
以上のように本実施の形態の表示装置１では、液晶バリア部１０において、相互に最近接の位置にある任意の２つのスペーサＰＳ同士の並び方向が、表示部２０の画素Ｐｉｘの並び方向と異なる方向となるようにした。これにより、スペーサＰＳに起因するモアレの発生を低減することができる。さらに、スペーサＰＳを、立体視表示を行う際に光を遮断する開閉部１１となる透明電極１２０の上に設けるようにした。これにより、スペーサＰＳに起因する画質劣化を確実に防止し、良好な立体視表示を行うことが可能となる。
【００５２】
また、本実施の形態では、液晶バリア部１０における開閉部１１および開閉部１２を、表示部２０における画素Ｐｉｘの並び方向に対して傾斜した方向にそれぞれ延伸するようにした。これにより、立体視表示における、水平方向の解像度と垂直方向の解像度とのバランスを向上させることができる。
【００５３】
また、本実施の形態では、ＶＡ液晶を採用する際、透明電極層１５における透明電極１１０，１２０において垂直方向（Ｙ軸方向）からずれた方向に延伸する幹部分６１を設けるようにした。さらに、枝領域７１の枝部分の延伸方向と枝領域７３の枝部分の延伸方向とを、幹部分６１を軸として非対称にし、枝領域７２の枝部分の延伸方向と枝領域７４の枝部分の延伸方向とを、幹部分６１を軸として非対称にした。これにより、左右方向の視野角を自由に設定することができる。
【００５４】
また、本実施の形態では、ＶＡ液晶を採用する際、各透明電極１２０において互いに交差するように延在する幹部分６１，６２を設け、スペーサＰＳを、それら幹部分６１と幹部分６２との交差点に設けるようにした。これにより、２次元表示の際、スペーサＰＳに起因する光の散乱等が及ぼす画質への影響を低減することができる。
【００５５】
また、本実施の形態では、ＶＡ液晶を採用する際、左右方向における視野角を対称にすることができる。枝領域７１の枝部分の延伸方向と枝領域７３の枝部分の延伸方向とをＹ軸方向を軸として対称にすると共に、枝領域７２の枝部分の延伸方向と枝領域７４の枝部分の延伸方向とをＹ軸方向を軸として対称にしたからである。
【００５６】
また、本実施の形態では、ＶＡ液晶を採用する際、透明電極層１５における透明電極１１０，１２０において、表示面内の水平方向（Ｘ軸方向）に延伸する幹部分６２を設けるようにした。さらに、枝領域７１の枝部分の延伸方向と枝領域７２の枝部分の延伸方向とを幹部分６２を軸として対称にし、枝領域７３の枝部分の延伸方向と枝領域７４の枝部分の延伸方向とを幹部分６２を軸として対称にした。これにより、上下方向における視野角を対称にすることができる。
【００５７】
また、本実施の形態では、ＶＡ液晶を採用する際、枝領域７１，７４の枝部分の延伸方向を、水平方向から反時計まわりに４５度の方向にするとともに、枝領域７２，７３の枝部分の延伸方向を、水平方向から時計まわりに４５度の方向にした。これにより、広い視野角を実現することができる。
【００５８】
また、本実施の形態では、ＶＡ液晶を採用する際、幹部分６１を、開閉部１１，１２の延伸方向と同じ方向に延伸するように形成したので、例えば階段状に形成する場合に比べて、シンプルな電極構造を実現できるとともに、開閉部１１，１２の上端と下端間における透明電極の抵抗値を低減することができる。
【００５９】
＜第２の実施の形態＞
次に、本開示における第２の実施の形態として表示装置について説明する。本実施の形態における表示装置は、液晶バリア部１０の、スペーサＰＳの配置位置が異なることを除き、他は上記第１の実施の形態における表示装置１と同じ構成である。よって、以下では、主にスペーサＰＳの配置位置に関する説明を行い、他の説明は適宜省略することとする。
【００６０】
図１３は、液晶バリア部１０と表示部２０とを重ね合わせたときの、スペーサＰＳと画素Ｐｉｘとの位置関係を表す概略平面図である。ここでは、図５と同様に、Ｒ（赤色），Ｇ（緑色），Ｂ（青色）の３色の画素Ｐｉｘをそれぞれ単にＲ，Ｇ，Ｂで表示している。なお、スペーサＰＳは、いずれも、透明電極１２０上に形成されている。また、図１３の構成は、時分割表示を行わずに４つの視点映像を空間分割表示するものに対応し、あるいは時分割数を２とし、視点映像の数を８とするものに対応している。すなわち、図１３では、画面水平方向におけるスペーサＰＳの１ピッチを、画素Ｐｉｘの４個分の距離とした場合を表している。但し、いくつかのスペーサＰＳを間引きしているため、ところにより、画面水平方向におけるスペーサＰＳの間隔が画素Ｐｉｘの８個分の距離を有している。
【００６１】
液晶バリア部１０には、複数のスペーサＰＳからなる同一形状の配列パターンが連続的に、あるいは周期的に形成されている。具体的には、液晶バリア部１０には、一群のスペーサＰＳからなる同一の配列パターンを有する単位領域ＡＲがマトリックス状に複数配列されている。液晶バリア部１０では、例えば、同一形状の配置パターンを有する単位領域ＡＲが、水平方向（Ｘ軸方向）および垂直方向（Ｙ軸方向）の双方において連続して形成されている。あるいは、２種類以上の異なる形状の配置パターンを有する単位領域ＡＲが、水平方向および垂直方向の少なくとも一方において周期的に配列されていてもよい。
【００６２】
ここで、一の単位領域ＡＲに着目すると、複数のスペーサＰＳのうちの少なくとも１つは、各々対応する画素Ｐｉｘ（Ｒ，Ｇ，Ｂ）との相対位置が他と異なるように配置されている。例えば、表示部２０における空間分割された視点映像の数をｐとしたとき、垂直方向において、スペーサＰＳの配置ピッチがｐの整数倍と異なる値となっている。あるいは、表示部２０が、空間的に分割されたｐ個（ｐは２以上の整数）の視点映像を、時間的に分割されたｑ個（ｑは１以上の整数）の表示パターンで順次表示するものであるとしたとき、水平方向におけるスペーサＰＳの配置ピッチは、画素Ｐｉｘの水平方向の寸法をＷとすると（ｐ×Ｗ／ｑ）の整数倍と等しい値であり、垂直方向におけるスペーサＰＳの配置ピッチは、画素Ｐｉｘの垂直水平方向の寸法をＬとすると（ｐ×Ｌ／ｑ）の整数倍と異なる値となっている。
【００６３】
図１３では、例えばスペーサＰＳ１１，ＰＳ２１，ＰＳ３１は、それぞれ画素Ｂ，Ｒ，Ｇの左下の隅部に位置している。すなわち、スペーサＰＳ１１，ＰＳ２１，ＰＳ３１と画素Ｂ３，Ｒ３，Ｇ３との各々の相対位置は同一（等価）である。これに対し、例えばスペーサＰＳ２１と同一の透明電極１２０上に並ぶスペーサＰＳ２２，Ｐ２３は、それぞれに対応する画素Ｇ２２，Ｒ２３との相対位置が、スペーサＰＳ２１と画素Ｒ１１との相対位置とは異なっている。具体的には、スペーサＰＳ２２は画素Ｇ２２の右上の隅部に位置し、スペーサＰＳ２３は画素Ｇ２３のほぼ中央部に位置している。このため、一の単位領域ＡＲについて観察者に視認される各画素Ｐｉｘの輝度レベルが異なることとなる。換言すると、一の単位領域ＡＲには明るく見える画素Ｐｉｘと暗く見える画素Ｐｉｘとが混在するため、その単位領域ＡＲを全体としてみれば、ほぼ一定の輝度レベルが維持されることとなる。
【００６４】
ところが、例えば図１４に示した参考例のように、画素ＰｉｘとスペーサＰＳとの相対位置関係が全て同一（等価）であるとすると、スペーサＰＳと重なる画素Ｐｉｘを含む（斜め方向の）画素列は、他の画素列よりも相対的に輝度が低下してしまう。そのような輝度の低い画素列が周期的に配列されていることから周期的な明暗分布が生じ、結果として観察者には、スペーサＰＳに起因するモアレが認識されることとなってしまう。
【００６５】
これに対し、本実施の形態では、各単位領域ＡＲにおいてほぼ一定の輝度レベルを維持することができるので、それがマトリックス状に配列された画面全体としてもほぼ一定の輝度レベルを維持することができる。よって、スペーサＰＳに起因するモアレを効果的に排除することができる。
【００６６】
また、本実施の形態では、単位領域ＡＲにおいて、複数のスペーサＰＳは、単位領域ＡＲの中心位置ＣＰを回転中心とした点対称な配置パターンを構成している。このため、透明電極層１５と透明電極層１７とのギャップの、面内方向におけるばらつきをより低減することができる。
【００６７】
また、本実施の形態では、一群のスペーサＰＳからなる同一の配列パターンを有する単位領域ＡＲが連続的に、あるいは周期的に複数配列されるようにしたので、製造段階での検査、あるいは完成後の検査を効率的に実施することができる。
【００６８】
なお、本実施の形態におけるスペーサＰＳの配列パターンは図１３に示したものに限定されず、例えば図１５に示した配列パターン（第１の変形例）としてもよい。図１５では、単位領域ＡＲが図１３に示した例の半分の面積となっている。
【００６９】
さらに、本実施の形態では、時分割の数や空間分割の数は任意に設定可能である。例えば図１６の構成は、図１３に示した配列パターンを、時分割数を２とし、視点映像の数を９とする（画面水平方向におけるスペーサＰＳの１ピッチを、画素Ｐｉｘの４．５個分の距離とした）場合に対応させたものである（第２の変形例）。同様に、図１７の構成は、図１５に示した配列パターンを、時分割数を２とし、視点映像の数を９とする（画面水平方向におけるスペーサＰＳの１ピッチを、画素Ｐｉｘの４．５個分の距離とした）場合に対応させたものである（第３の変形例）。但し、図１６および図１７の構成例においてもいくつかのスペーサＰＳを間引きしているため、ところにより画面水平方向におけるスペーサＰＳの間隔が画素Ｐｉｘの９個分の距離を有している。
【００７０】
以上、いくつかの実施の形態を挙げて本技術を説明したが、本技術はこれらの実施の形態等には限定されず、種々の変形が可能である。例えば上記実施の形態では、液晶バリア部１０における開閉部１１，１２が、水平方向（Ｘ軸方向）に対して右上がりの斜め方向に延伸するようにした。しかしながら、本技術では、例えば図１８に示した変形例（第４の変形例）のように、水平方向に対して左上がりの斜め方向に延伸するようにしてもよい。また、上記実施の形態では、角度θ１を１８°としたが、本技術は他の数値も取り得るものである。
【００７１】
また、上記実施の形態では、表示部２０における画素Ｐｉｘの並び方向を水平方向および垂直方向とすると共に、液晶バリア部１０における開閉部１１，１２の延伸方向を斜め方向としたが、本技術はこれに限定されるものではない。例えば図１９（Ａ），１９（Ｂ）に示したように、画素Ｐｉｘの並び方向を水平方向および斜め方向とすると共に、液晶バリア部１０における開閉部１１，１２の延伸方向を垂直方向としてもよい。図１９（Ａ）は、変形例（第５の変形例）としての表示部２０Ａの画素配列を表し、図１９（Ｂ）は、第５の変形例としての液晶バリア部１０Ａにおける開閉部の配置構成を表している。図１９（Ａ）に示したように、本変形例の表示部２０Ａでは、Ｘ軸方向に延在し、かつＹ軸方向において隣り合う複数の画素Ｐｉｘの列が形成されている。ここで、例えば画素列Ｌ１，Ｌ２に注目すると、画素列Ｒ１における各画素Ｐｉｘの中心位置と、画素列Ｒ２における各画素Ｐｉｘの中心位置とを通過する仮想直線Ｌ１３Ａは、垂直方向（Ｙ軸方向）に対して角度θ１をなしている。また、図１９（Ｂ）に示したように、スペーサＰＳは、立体視表示を行う際に閉状態（遮断状態）となる開閉部１１に沿って配置され、かつ、水平方向（Ｘ軸方向）に対して角度θ２（例えば６４°）傾斜した仮想直線Ｌ１３Ｂに沿って配置されている。このような変形例においても、上記実施の形態と同様の効果が得られる。
【００７２】
また、上記実施の形態では、隣り合う透明電極１２０の上に設けられたスペーサＰＳが仮想直線上に並ぶようにしたが、その仮想直線から外れた位置にスペーサＰＳを設けるようにしてもよい。また、本実施の形態では、同一の透明電極１２０の上に設けられたスペーサＰＳが、その透明電極１２０の延伸方向に沿って一定間隔で配置されるようにしたが、任意に異なる間隔で配置されるようにしてもよい。
【００７３】
また、上記実施の形態では、表示装置１において観察者の側から液晶バリア部１０、表示部２０、バックライト３０の順に配置したが、これに限定されるものではない。例えば、図２０に示した変形例（第６の変形例）としての表示装置１Ａのように、観察者の側から表示部２０、液晶バリア部１０、バックライト３０の順に配置してもよい。
【００７４】
図２１は、図２０に示した第６の変形例における表示部２０および液晶バリア部１０の動作例を表すものである。詳細には、図２１（Ａ）は、映像信号ＳＡが供給された場合を示し、図２１（Ｂ）は映像信号ＳＢが供給された場合を示す。この第６の変形例では、バックライト３０から射出した光は、まず液晶バリア部１０に入射する。そして、その光のうち、開閉部１２Ａ，１２Ｂを透過した光が表示部２０において変調されるとともに、６つの視点映像を出力するようになっている。
【００７５】
また、上記実施の形態では、開閉部１２は２つのグループを構成したが、これに限定されるものではなく、これに代えて、例えば３つ以上のグループを構成するようにしてもよい。これにより、表示の分解能をさらに改善することができる。
【００７６】
また、上記実施の形態では、表示部２０を液晶表示部としたが、これに限定されるものではない。これに代えて、例えば有機ＥＬ（Electro Luminescence）などを用いたＥＬ表示部を用いてもよい。この場合、図１に示したバックライト駆動部２９およびバックライト３０は不要となる。
【００７７】
また、上記実施の形態では、液晶層１９をＴＮ液晶またはＶＡ液晶によって構成した場合について説明したが、本技術はこれに限定されるものではない。これに変えて、ＩＰＳモード等の液晶を用いることもできる。
【００７８】
また、本技術は以下のような構成を取り得るものである。
（１）複数の表示画素を有する表示部と、
光を透過および遮断する複数のサブ領域を有するバリア部と
を備え、
前記バリア部は、
一対の基板と、それらに挟まれた液晶層および複数のスペーサと
を含み、
隣り合う前記スペーサの並び方向が、前記表示画素の並び方向と異なる
表示装置。
（２）相互に最近接の位置にある２つの前記スペーサ同士の並び方向が、前記表示画素の並び方向と異なる方向である
上記（１）記載の表示装置。
（３）前記複数のサブ領域は、
前記表示部における前記複数の表示画素の並び方向に対して傾斜した方向にそれぞれ延伸している
上記（１）または（２）に記載の表示装置。
（４）前記複数のサブ領域は、光を透過する第１のサブ領域と、光を遮断する第２のサブ領域とを含み、
前記スペーサは、前記第２のサブ領域に設けられている
上記（１）から（３）のいずれか１つに記載の表示装置。
（５）前記第１のサブ領域と前記第２のサブ領域とが、それらの延伸方向と異なる方向へ交互に配置され、
隣り合う前記第２のサブ領域に設けられた前記スペーサ同士の並び方向が、前記表示画素の並び方向と異なる
上記（４）記載の表示装置。
（６）前記バリア部は、
前記液晶層に電圧を供給するための一対の電極を有し、
前記一対の電極のうちの少なくとも一方は、前記サブ領域ごとに複数のサブ電極に分割されており、
前記スペーサは、前記サブ電極と重なる位置に設けられている
上記（１）から（５）のいずれか１つに記載の表示装置。
（７）前記複数のサブ領域は、光を透過する第１のサブ領域と、光を遮断する第２のサブ領域とを含み、
前記スペーサは、前記第２のサブ領域に設けられている
上記（６）記載の表示装置。
（８）前記複数のサブ電極は、それぞれ、互いに交差するように延在する第１および第２の幹部分を有し、
前記スペーサは、前記第１の幹部分と前記第２の幹部分との交差部に位置する
上記（６）記載の表示装置。
（９）３次元映像表示モードおよび２次元映像表示モードを含む複数の表示モードを有し、
前記複数のサブ領域は、複数の第１のサブ領域と複数の第２のサブ領域とを有し、
前記３次元映像表示モードでは、前記表示部が複数の異なる視点映像を表示し、前記複数の第１のサブ領域が透過状態になるとともに、前記複数の第２のサブ領域が遮断状態になることにより、３次元映像を表示し、
前記２次元映像表示モードでは、前記表示部が１つの視点映像を表示し、前記複数の第１のサブ領域および前記複数の第２のサブ領域が透過状態になることにより、２次元映像を表示する
上記（１）から（８）のいずれか１つに記載の表示装置。
（１０）前記スペーサは、前記第２のサブ領域に設けられている
上記（９）記載の表示装置。
（１１）前記表示部は、前記表示画素に電圧を供給するための複数の信号線および走査線を有し、
前記表示画素の並び方向は、前記信号線の延在方向および走査線の延在方向に沿った方向である
上記（１）から（１０）のいずれか１つに記載の表示装置。
（１２）
前記複数のスペーサは、水平方向および垂直方向の少なくとも一方において周期的に配列された複数の配列パターンを形成している
上記（１）から（１１）のいずれか１つに記載の表示装置。
（１３）
前記複数のスペーサは、水平方向および垂直方向の少なくとも一方において配列された複数の単位領域ごとに同一形状の配置パターンを構成している
上記（１）から（１２）のいずれか１つに記載の表示装置。
（１４）
各々の前記単位領域において、前記複数のスペーサのうちの少なくとも１つは、各々対応する前記表示画素との相対位置が他と異なるように配置されている
上記（１３）記載の表示装置。
（１５）
各々の前記単位領域において、前記複数のスペーサは、前記単位領域の中心位置を回転中心とした点対称な配置パターンを構成している
上記（１３）または（１４）に記載の表示装置。
（１６）
前記バリア部には、前記複数のスペーサからなる同一形状の配置パターンが周期的に形成されている
上記（１）から（１５）のいずれか１つに記載の表示装置。
（１７）
前記表示部は、空間的に分割されたｐ個（ｐは２以上の整数）の視点映像を表示するものであり、
水平方向および垂直方向の少なくとも一方において、前記スペーサの配置ピッチがｐの整数倍と異なる値である
上記（１）から（１６）のいずれか１つに記載の表示装置。
（１８）
前記表示部は、空間的に分割されたｐ個（ｐは２以上の整数）の視点映像を、時間的に分割されたｑ個（ｑは１以上の整数）の表示パターンで順次表示するものであり、
水平方向における前記スペーサの配置ピッチは、前記表示画素の水平方向の寸法をＷとしたとき、（ｐ×Ｗ／ｑ）の整数倍と等しい値であり、
垂直方向における前記スペーサの配置ピッチは、前記表示画素の垂直水平方向の寸法をＬとしたとき、（ｐ×Ｌ／ｑ）の整数倍と異なる値である
上記（１）から（１７）のいずれか１つに記載の表示装置。
（１９）
複数の表示画素を有する表示部と、
光を透過および遮断する複数のサブ領域を有するバリア部と
を備え、
前記バリア部は、
一対の基板と、それらに挟まれた液晶層および複数のスペーサと
を含み、
前記複数のスペーサのうちの少なくとも１つは、各々対応する前記表示画素との相対位置が他と異なるように配置されている
表示装置。
【符号の説明】
【００７９】
１，１Ａ…表示装置、９…バリア駆動部、１０，１０Ａ…液晶バリア部、１１，１２…開閉部、１３，１６…透明基板、２０，２０Ａ…表示部、２９…バックライト駆動部、３０…バックライト、４０…制御部、５０…表示駆動部、１１０，１２０…透明電極、Ｐｉｘ…画素、ＰＳ…スペーサ。
【図１】
2012234142.tif 000003
【図２】
2012234142.tif 000004
【図３】
2012234142.tif 000005
【図４】
2012234142.tif 000006
【図５】
2012234142.tif 000007
【図６】
2012234142.tif 000008
【図７】
2012234142.tif 000009
【図８】
2012234142.tif 000010
【図９】
2012234142.tif 000011
【図１０】
2012234142.tif 000012
【図１１】
2012234142.tif 000013
【図１２】
2012234142.tif 000014
【図１３】
2012234142.tif 000015
【図１４】
2012234142.tif 000016
【図１５】
2012234142.tif 000017
【図１６】
2012234142.tif 000018
【図１７】
2012234142.tif 000019
【図１８】
2012234142.tif 000020
【図１９】
2012234142.tif 000021
【図２０】
2012234142.tif 000022
【図２１】
2012234142.tif 000023